(57)【要約】【課題】ディスクユニット及びこのディスクユニットを内蔵する電子機器において、簡単かつ安価で、しかも、薄型化の妨げにならない構造により、破損したディスクの破片飛び出しを確実に防止し、併せて、トレイの収納状態における防塵を図る。【解決手段】トレイ５の前端部５ａには延出部５ｂを一体に形成し、また、本体フレーム３のトレイ開口６には上縁枠体３ａを一体に形成して、トレイ５がユニットケース２内に搬入したとき、延出部５ｂと上縁枠体３ａとが前後に重合して形成する２重構造により、ディスク開口６をほぼ隙間なく塞いで破損したディスクの破片飛び出し防止機能と防塵機能とを兼ねる。【選択図】図１
2007066389.tif 000002
【特許請求の範囲】
【請求項１】
少なくとも、上面開放の本体フレームと前記本体フレームの開放した上面を覆うプレートとにより構成するユニットケースと、ディスクを載置して搬送するトレイとを備え、前記本体フレームの前面には横長に切り欠いた前記トレイが出入りするトレイ開口を形成し、前記ユニットケース内から前記トレイ開口を介して前記トレイを前方へと押し出すディスク搬出動作と、前記トレイ開口を介して前記トレイを前記ユニットケース内に引き込み収納するディスク搬入動作とを行うトレイを備えたディスクユニットにおいて、前記本体フレームの前面には前記トレイ開口の上方に横長の上縁枠体を設け、前記トレイの前端部には前記トレイ開口の上縁より高い突起状の延出部を設けて、前記トレイを搬入した状態で前記上縁枠体と前記延出部とにより前記トレイ開口を閉塞することを特徴としたトレイを備えたディスクユニット。
【請求項２】
トレイと延出部、及び本体フレームと上縁枠体を、それぞれ一体成形により形成することを特徴とした請求項１に記載のトレイを備えたディスクユニット。
【請求項３】
本体フレームに形成するトレイ開口の前方位置にトレイの搬送動作に連動して開閉するトレイ扉を設け、前記トレイ扉は外観を構成する機器ケースのフロントパネルに備えることを特徴とした請求項１又は請求項２に記載のトレイを備えたディスクユニットを内蔵する電子機器。
【発明の詳細な説明】
【技術分野】
【０００１】
本発明は、記憶媒体であるディスクを搬送するためのトレイを備えたディスクユニット及びこのディスクユニットを内蔵する電子機器に関し、詳しくは、ディスクユニット内で破損したディスクが前記ディスクユニットの外部へと飛び出すのを防止するためのディスク飛び出し防止構造と、前記ディスクユニット内部の防塵構造とを兼ね備えたディスクユニット及び前記ディスクユニットを内蔵する電子機器に関する。
【背景技術】
【０００２】
従来、ＤＶＤやＣＤ等のディスクの再生を可能とする、或いはディスクの記録及び再生を可能とするディスクユニットがあり、ディスクを載置するためのトレイを備えたものには、そのユニットごと機器ケースに収容した内蔵タイプのものがある。
【０００３】
そして、内蔵タイプの電子機器製品として、例えば、ＤＶＤ（デジタル・バーサタイル・デイスク）の再生装置（ＤＶＤプレーヤ）や記録再生装置（ＤＶＤレコーダ）、或いは、これらの装置とＶＣＲ（ビデオカセットレコーダ）やカセットテープレコーダ、ＨＤＤ（ハード・ディスク・ドライブ）等とを組み合わせた複合型の映像音響装置のような電子機器などがある。
【０００４】
ところで、前記内蔵タイプのディスクユニットを有する電子機器には、トレイが出入りするユニットケースの前面に形成されたトレイ開口の前方位置に前記トレイの搬送動作と連動して開閉動作を行うトレイ扉があり、このトレイ扉は前記電子機器の前方側の外観となるフロントパネルに設けてある。その結果、前記トレイが前記ユニットケースに収納された状態においては、前記電子機器の外部から前記ディスクユニットが見えないようになっている。
【０００５】
ディスクユニットによってディスクに情報を書き込み記録する、或いはディスクに記録されている情報を読み込み再生する場合には、はじめに前記ディスクユニットのユニットケース内部に収納されているトレイを電子機器の外部へと搬出して前記電子機器の外部より前記ディスクを前記ユニットケース内部へと搬入する動作が必要となる。そのため、フロントパネルに配置された操作ボタンのうち、ユーザーが前記トレイを搬出するための「オープン／クローズ」のボタンを選択して押すことで、前記ディスクユニットのユニットケース内部に設けたトレイ駆動機構が前記トレイを電子機器の外部へと搬出する方向に動作し、前記トレイの搬出動作に連動して前記フロントパネルに備えたトレイ扉が開く。そして、前記ユニットケース内部にあるトレイは、前記ユニットケースの前面に形成したトレイ開口と、前記フロントパネルに備えたトレイ扉の連動動作により開いた開口部分とを介して前記電子機器の外部へと搬出される。
【０００６】
電子機器の外部へと搬出されたトレイにディスクを載置した後、ユーザーが前記トレイの前端部を軽く押すか、或いはフロントパネルに配置された「オープン／クローズ」の操作ボタンを押すことで前記トレイ駆動機構が前記トレイを電子機器に内蔵するディスクユニットのユニットケース内部へと搬入する方向に動作し、トレイ扉が開いた状態にあるフロントパネルの開口部分と、前記ユニットケースの前面に形成したトレイ開口とを介して、前記トレイはユニットケース内部に引き込まれて収納される。なお、前記フロントパネルに備えたトレイ扉は、トレイの搬入動作に連動して前記開口部分を閉じる。
【０００７】
電子機器の内部へと搬入されたトレイ上のディスクは、ディスクユニットのユニットケース内部に備えたターンテーブルによって前記トレイより僅かに持ち上げられた状態で回転し、周知の光学的手法により前記ディスクへの情報の書き込み、若しくは前記ディスクに記録された情報の読み込みが行なわれる。
【０００８】
そして、ディスクへの記録、或いはディスクの再生が終了したときには、前述したトレイの搬出動作により前記ディスクを載置した状態のトレイを電子機器の外部へと搬出することで前記ディスクの取出しや交換を行うことができ、その後、前述したトレイの搬入動作によって前記トレイをディスクユニットのユニットケース内部へと搬入して収納状態とすることができる。
【０００９】
ところで、この種のディスクユニットは、図５又は図６で示すように、ディスクユニット１００の外観を形成するユニットケース１０１の前面が底面と両側壁とを有する略Ｕ字形状に形成してあり、横長で且つ上方が開放されたトレイ開口１０２が形成してある。そして、このトレイ開口１０２から出入り可能にディスクを載置して搬送するトレイ１０３が前記ユニットケース１０１に組み付けてある。
【００１０】
一方、前記ディスクユニットの内部に備えるターンテーブルの回転速度は、例えば、再生専用のＤＶＤプレーヤではおおよそ２０００ｒｐｍ（回転数／分）あれば十分であるが、記録及び再生を可能とするＤＶＤレコーダではおおよそ９０００ｒｐｍもの回転速度が必要となり、近年のデジタル処理の高速化等に伴って一層高速となる傾向にある。
【００１１】
そして、このような高速状態で前記ターンテーブルのディスクが回転するとき、極めて稀な事態ではあるが、回転するディスクの損傷が原因となって回転中のディスクが割れてしまうことがある。回転中のディスクが破損すると、図５、図６に示す構造ではトレイ開口１０２から遠心力によって極めて高速で飛散したディスクの破片がディスクユニット１００の外部へと飛び出し、さらには、前方のフロントパネルに備えたトレイ扉（図示せず）から電子機器外部にまで飛び出すおそれがある。
【００１２】
とくに、小型化及びコストダウンを図るため、ディスクユニット１００のユニットケース１０１は合成樹脂により形成されており、また前記ユニットケース１０１の前面上方部分が開放されたトレイ開口１０２を有する形状としているため、前記トレイ開口１０２からディスクの破片がトレイ１０３等に当接することなく飛び出し易い構造となっている。
【００１３】
そこで、この種のディスクユニットにおいて、トレイ表面にディスク外周縁に沿うように弧状に湾曲した第一の突条を形成し、天板の内面に第一の突条に積み重なるように下方に突出した第二の突条を形成し、トレイがユニットケース内に引き込まれる収納状態時において、第一、第二の突条の壁によって回転中のディスクが破損してもディスクの破片飛び出しを防止できる構造が提案されている（例えば、特許文献１参照。）。
【特許文献１】特開２００２−１３３８５２号公報（要約書、段落［００１５］−［００１６］、［００２３］−［００２５］、［００４１］−［００４８］、図１、図３、図４）
【発明の開示】
【発明が解決しようとする課題】
【００１４】
前記特許文献１に記載のように、ディスク載置用のトレイに第一の突条を形成し、この第一の突条に合わせてユニットの天板に第二の突条を形成することは、部品の加工や組み立ての面から煩雑で容易ではなく、しかもコストアップにつながり、また、ユニットを極力薄く小型に形成する上からも好ましくない。その上、前記の第一及び第二の突条を形成するのみでは、トレイの収納状態において、トレイ開口の隙間からユニットケース内への塵埃の進入を防止することは困難であり、防塵のための別途対策を講じる必要もある。
【００１５】
本発明は、この種のディスクユニット及びこのディスクユニットを内蔵する電子機器において、簡単かつ安価で、しかも、薄型化の妨げにならない構成により、ターンテーブルによって回転するディスクが破損して前記ディスクの破片がディスクユニットの外部へと飛び出すのを確実に防止し、併せて、トレイの収納状態における防塵効果も図れるようにすることを目的とする。
【課題を解決するための手段】
【００１６】
上記した目的を達成するために、本発明のディスクユニットは、少なくとも、上面開放の本体フレームと前記本体フレームの開放した上面を覆うプレートとにより構成するユニットケースと、ディスクを載置して搬送するトレイとを備え、前記本体フレームの前面には横長に切り欠いた前記トレイが出入りするトレイ開口を形成し、前記ユニットケース内から前記トレイ開口を介して前記トレイを前記ユニットケースの前方へと押し出すディスク搬出動作と、前記トレイ開口を介して前記トレイを前記ユニットケース内に引き込み収納するディスク搬入動作とを行うトレイを備えたディスクユニットにおいて、前記本体フレームの前面には前記トレイ開口の上方に横長の上縁枠体を設け、前記トレイの前端部には前記トレイ開口の上縁より高い突起状の延出部を設け、前記トレイを搬入した状態で前記上縁枠体と前記延出部とにより前記トレイ開口を閉塞することを特徴としている（請求項１）。
【００１７】
さらに、本発明のディスクユニットは、上記請求項１のディスクユニットにおいて、トレイと延出部、及び本体フレームと前記上縁枠体を、それぞれ一体成形により形成することを特徴としている（請求項２）。
【００１８】
つぎに、本発明のディスクユニットを内蔵する電子機器は、上記請求項１又は請求項２に記載のディスクユニットを内蔵する電子機器において、本体フレームに形成するトレイ開口の前方位置にトレイの搬送動作に連動して開閉するトレイ扉を設け、前記トレイ扉は外観を構成する機器ケースのフロントパネルに備えることを特徴としている（請求項３）。
【発明の効果】
【００１９】
請求項１に係るディスクユニットによれば、ディスクを載置して搬送するトレイがユニットケース内に搬入されると、前記トレイの前端に設けた延出部と本体フレームの前面に設けた上縁枠体とが、前記延出部を前側にして前記本体フレームに形成したトレイ開口において前後に重合し、この状態では前記トレイの前端部に設けた延出部が前記本体フレームの外側から覆うようにトレイ開口を閉塞するため、例えば、おおよそ９０００ｒｐｍの高速回転でディスクが回転しているときに前記ディスクの破損が生じ、そのディスクの破片が極めて高速で飛散しても、前記の延出部と上縁枠体との２重構造によって前記ディスクの破片がディスクユニットの外部へと飛び出すのを確実に防止することができる。
【００２０】
又、前記延出部と前記上縁枠体との２重構造により、トレイがユニットケース内部へと搬入された収納状態においては、前記トレイとトレイ開口との間に従来のような隙間が生じることもなくなることから、ユニットケース内部における防塵効果を奏することが可能となる。
【００２１】
さらに、延出部と上縁枠体とが前後に重合する簡単な構造であるため、部品の加工や組み立ても簡単かつ容易に行なうことができ、その上、前後に重なる延出部や上縁枠体はディスクユニットの高さに影響せず、簡単かつ安価で、しかも薄型化の妨げにならない構成により、この種のディスクユニットにおける破損したディスクの破片飛び出しを確実に防止でき、併せて、トレイの収納状態における防塵効果を奏することが可能となる。
【００２２】
請求項２に係るディスクユニットによれば、トレイと前記トレイの前端に設ける延出部とを例えば樹脂の一体成形で形成し、又、本体フレームと前記本体フレームの前面に設ける上縁枠体とを例えば樹脂の一体成形で形成するため、部品点数が増加することなく、一層安価で実用的な構成によって請求項１と同様の効果を奏するディスクユニットを提供することができる。
【００２３】
請求項３に係るディスクユニットを内蔵する電子機器によれば、トレイの搬送動作に連動して開閉可能なトレイ扉を備えたフロントパネルを含む機器ケースの内部に前記請求項１又は請求項２に記載のディスクユニットを配置するため、前記請求項１又は請求項２と同様の効果を得ることができ、安価で安全性及び防塵性能を著しく向上したディスクユニットを内蔵する電子機器を提供することができる。
【発明を実施するための最良の形態】
【００２４】
つぎに、本発明をより詳細に説明するため、その一実施形態について、図１〜図４にしたがって詳述する。
【００２５】
図１はディスクユニットのトレイが搬出した状態を示しており、図１（ａ）はディスクユニットのトレイ搬出状態を示す斜視図、図１（ｂ）はディスクユニットのトレイ搬出状態を示す側面図である。図２はディスクユニットのトレイが搬入した状態（収納状態）を示しており、図２（ａ）はディスクユニットのトレイ搬入状態を示す斜視図、図２（ｂ）ディスクユニットのトレイ搬入状態を示す側面図である。図３はトレイの収納状態における本体フレームの前面を拡大して示す側面断面図である。また、図４はディスクユニットを内蔵する電子機器を示しており、図４（ａ）はトレイの搬出状態を示す電子機器の斜視図、図４（ｂ）はトレイの搬入状態を示す電子機器の斜視図である。
【００２６】
そして、ディスクユニット１はＤＶＤ、ＣＤ等のディスクの光学的な再生或いは記録及び再生の機能を有し、図１（ａ）、図１（ｂ）、及び図２（ａ）、図２（ｂ）に示すように扁平な箱体状のユニットケース２を備え、このケース２は、上面が開放した合成樹脂の本体フレーム３と、その上面を覆う天板としての金属の薄いプレート４とによって構成され、前記本体フレーム３と前記プレート４により前記ディスクユニット１の外観形状を担う構成としている。
【００２７】
本体フレーム３には、周知のディスクユニットと同様、ディスクの搬入、搬出の際にトレイ駆動機構によって前後方向に直線往復運動可能に組み付けられたディスクを載置するためのトレイ５と、このトレイ５の前記直線往復運動に連動して前記トレイ５の移動方向と直交する方向に摺動動作するラックローディング（図示せず）と、このラックローディングの摺動動作に連動してユニットケース２の内部で傾動動作するシャーシ（図示せず）と、このシャーシに取り付けられたディスク回転用のターンテーブル（図示せず）と、このターンテーブルに装着されて回転するディスクの光学的な記録、或いは再生を行うためのピックアップユニット（図示せず）と、このピックアップユニットをターンテーブル上にあるディスクの面横断方向に往復直線移動するガイド機構（図示せず）等が設けられている。
【００２８】
そして、この実施形態の本体フレーム３は、ディスクユニット１のコストや重量、加工の容易さ等を考慮して合成樹脂の樹脂成形により形成され、また、ディスクを搬送するトレイ５についても、本体フレーム３と同様の理由に加え、トレイ５の駆動伝達機構等への負担も考慮して合成樹脂の樹脂成形により形成される。
【００２９】
さらに、本体フレーム３の前面上端部には水平な横長の切り欠きが形成され、この切り欠きにより、トレイ５が出入りするトレイ開口６が形成される。
【００３０】
プレート４は、本体フレーム３の強度向上及びディスクユニット１に対する不要輻射対策等を考慮して金属としたものであり、本体フレーム３の上部内側に形成された図３の段部３ａに支持されて本体フレーム３の上部にはめ込まれ、四隅部がねじ７によって本体フレーム３にねじ止めされている。このとき、図３に示すように、プレート４の前端部はその両端を除き下方に屈曲加工されて後述の上縁枠体の内側（背面側）に位置し、補強用の裏当てとしての屈曲部４ａを形成する。
【００３１】
また、プレート４の前寄りの前記ターンテーブルと対向する位置にクランパ（ディスククランパ）８が取り付けてある。このクランパ８は、前記シャーシに取り付けられたターンテーブルがシャーシの傾動動作により上昇し、トレイ５上に載置されたディスクを持ち上げた際に、このターンテーブルとともにディスクを挟持するものであり、一般的なディスククランパと同様、回転自在であって、前記クランパ８の内部に収納される磁石とターンテーブルの磁性体との磁気的な吸引力によって回転中のディスクをターンテーブル上にクランプする。なお、前記クランパ８は、回転中にディスクの反り等に応じて微小な上下動も可能なように、上下方向の微小な隙間（遊び）を設けてプレート４に取り付けてある。
【００３２】
つぎに、トレイ５は図５、図６に示す従来のトレイ１０３とは異なり、図３に示すように、その前端部５ａに一体に、上縁がトレイ開口６の上縁より高くなるように前端部５ａ全体から一様に上方に延出した突起状の延出部５ｂが形成してある。
【００３３】
また、本体フレーム３と一体に、トレイ開口６の上縁枠体３ａが形成され、この上縁枠体３ａは下端部が前記本体フレーム３の内側（図３に示す後方側）に折曲した断面視略Ｌ字状をなしている。
【００３４】
そして、トレイ５がユニットケース２内に引き込まれて収納状態（搬入状態）になると、このトレイ５の前端５ａに形成した延出部５ｂがトレイ開口６を外側から覆うように閉塞し、このとき、トレイ５の延出部５ｂと本体フレーム３の上縁枠体３ａとが前記延出部５ｂを前側にしてトレイ開口６の上縁部分で前後に重合し、この前後に重合した２重構造によって回転中に破損したディスクの破片が前記トレイ開口６から飛び出すことを防止する機能とユニットケース２内部の防塵機能とを兼ねる。しかも、本実施形態の場合、上縁枠体３ａの裏側には金属のプレート４の屈曲部４ａが補強的に設けてあり、この屈曲部４ａによって破損したディスクの破片がトレイ開口６から飛び出すことの一層の防止が図れる。
【００３５】
すなわち、トレイ５の延出部５ｂと本体フレーム３の上縁枠体３ａとが、トレイ５の収納状態において、前後に重合した２重構造を形成してトレイ開口６を確実に塞ぐため、例えば、ユニットケース２の内部においておおよそ９０００ｒｐｍの高速回転するターンテーブル上にクランプされたディスクが損傷等の原因により破損し、この破損したディスクの破片が極めて高速に飛散しても、延出部５ｂと上縁枠体３ａとが重合した２重構造によってディスク破片の外部への飛び出しを確実に防止でき、しかも、本実施形態の場合、前記上縁枠体３ａの裏側に配置される金属製の屈曲部４ａによって前記ディスク破片の衝突力からさらに強固な構造として保護できるため、その防止効果が一層確実になる。
【００３６】
その上、トレイ５の収納状態においては、前記２重構造によって前記トレイ５とディスク開口６との隙間からの塵埃の侵入も阻止でき、防塵効果も奏することができる。
【００３７】
つぎに、上記のディスクユニット１を内蔵する電子機器の一例について説明する。本体フレーム３の下部四隅に形成された取り付け片９が、図４（ａ）及び図４（ｂ）に示す電子機器１０の外装ケースとしての機器ケース１１内の所定の個所にねじ止め等で固定される。なお、電子機器１０は、例えば、前記のＤＶＤプレーヤ、ＤＶＤレコーダ、或いは、これらとＶＣＲやカセットテーブレコーダ、ＨＤＤ等とを組み合わせた複合型の映像音響装置である。
【００３８】
そして、機器ケース１１の前面側を担うフロントパネル１１ａには、そのほぼ中央部に前記機器ケース１１内に固定したディスクユニット１の本体フレーム３に形成したトレイ開口６と重合する位置にトレイ出入用の開口部分１２を形成し、この開口部分１２に化粧用のトレイ扉１３が取り付けられ、このトレイ扉１３はトレイ５が出入する際に上端部が垂直状態から手前に倒れるように開き、或いはその逆に閉じるように回動可能としている。なお、常時は、図示しない付勢手段によりトレイ扉１３が閉じて電子機器１０の外側からはディスクユニット１が見えないようになっている。
【００３９】
さらに、前記フロントパネル１１ａの右側下部には、トレイ５の搬入／搬出動作や、ディスクユニット１に収納されたディスクの記録或いは再生等に必要な複数個の操作ボタン１４が設けられている。
【００４０】
そして、ディスクの再生あるいは記録を行なうため、ユーザーがフロントパネル１１ａに設けられたトレイ５の「オープン／クローズ」の操作ボタンを押すと、電子機器１０に内蔵されたディスクユニット１のトレイ駆動機構が動作して前記トレイ５はユニットケース２の外側へと移動を開始する。前記トレイ５の動作に連動してトレイ扉１３が開き、ディスクユニット１のユニットケース２から押し出されたトレイ５は、トレイ開口６、及びフロントパネル１１ａに形成されたトレイ出入用の開口部分１２を介して電子機器１０の前方へと搬出される。
【００４１】
この状態で、ユーザーがトレイ５にディスクを載置した後、例えば前述したトレイ５の「オープン／クローズ」の操作ボタンを再度押すことによって、ディスクを載置した状態のトレイ５が電子機器１０に内蔵するディスクユニット１へと引き込まれて搬入され、前記トレイ５の引き込み動作に連動してトレイ扉１３がフロントパネル１１ａに形成されたトレイ出入用の開口部分１２を閉じる方向へと回動する。
【００４２】
そして、本例におけるディスクユニット１の動作をさらに詳述すると、トレイ５の搬入動作に連動して、前記トレイ５と連結されたラックローディング（図示せず）が前記トレイ５の移動方向と直交する方向へと摺動し、前記ラックローディングの摺動動作に連動して本体フレーム３に取付けられたシャーシ（図示せず）が前記本体フレーム３と連結された後端部を支点としてその前端部が上方へと傾動し、トレイ５が搬出されたときには傾斜状態にあった前記シャーシは、前記トレイ５が搬入されたときには水平状態となる。
【００４３】
また、このシャーシにはターンテーブルやピックアップユニット等が取付けてあり、前記シャーシの傾動動作により、トレイ５に載置されたディスクが前記ターンテーブルによって僅かに持ち上げられ、また、ターンテーブルとクランパ８とによって前記デイスクが回転自在に挟持される。このときのディスクの位置は、図３に２点差線で示す仮想のディスクＤＫの位置、すなわち、前述した延出部５ｂと上縁枠体３ａの２重構造の高さの位置になる。
【００４４】
そして、ターンテーブルが回転駆動されることによってディスクが、例えば９０００ｒｐｍで高速回転し、ディスクの記録面に前記ピックアップユニットより照射されるレーザー光により、周知の光学的手法でディスクの情報の読み取り（再生）或いは書き込み（記録）が行なわれる。
【００４５】
トレイ５が収納状態にあって、ディスクの記録、或いは再生が行われるときには、前述したように、トレイ５の前端に形成された延出部５ｂと、本体フレーム３の前面に形成された上縁枠体３ａとが前後に重合し、この重合による２重構造によってトレイ開口６をほぼ隙間なく確実に塞ぐことができるため、万が一、ディスクユニット１の内部で高速回転するデイスクが破損しても、その破片がディスクユニット１の外部に飛び出すことはなく、そのため、トレイ扉１３から電子機器１０の前方に突然破損したディスクの破片が飛び出すような危険性がなく、極めて安全性が高い構造となっている。また、本実施形態の場合、前記上縁枠体の裏側にプレート４の屈曲部４ａを設けた構造としているため、前記ディスクユニット１から外部への破損したディスクの破片飛び出しを一層確実に防止することができ、安全性が一層向上することとなる。
【００４６】
さらに、延出部５ｂと上縁枠体３ａの２重構造により、トレイ５の収納状態においてトレイ開口６をほぼ隙間のない状態とすることができるため、破損したディスクの破片飛び出し防止効果に加え、ディスクユニット１内部の防塵効果も兼ねることができる。その結果、とくに前記ピックアップユニットのレーザー光の照射レンズヘの塵芥等の付着を確実に防ぐことができ、製品寿命の向上、信頼性の向上等を図ることができる。
【００４７】
そして、前記の延出部５ｂ、上縁枠体３ａ、及び屈曲部４ａは、ディスクユニット１の必須の構成部材であるトレイ５、本体フレーム３、及び、プレート４のそれぞれに一体に形成していることから、部品点数が増加することがなく、組み立ても従来と変わらず容易であり、しかも、前述の２重構造がディスクユニット１の高さに影響せず、ディスクユニット１の薄型化の妨げになることもない。
【００４８】
そのため、簡単かつ安価で、しかも、薄型化の妨げにならない構成により、破損したディスク破片のトレイ開口６からの飛び出し防止兼防塵手段を形成し、ディスクユニット１からのディスク破片の飛び出しを確実に防止し、併せて、トレイの収納状態におけるディスクユニット１の防塵も図ることができ、結果として、安価な構成により、ディスクユニット１を内蔵した電子機器１０の安全性・信頼性等を向上することができる。
【００４９】
ところで、本実施形態の場合、トレイ５と延出部５ｂ、本体フレーム３と上縁枠体３ａを、それぞれ合成樹脂の一体成形によって形成したため、実用的で一層安価になる利点もある。
【００５０】
そして、本発明は上述した実施形態に限定されるものではなく、その趣旨を逸脱しない限りにおいて上述したもの以外に種々の変更を行うことが可能であり、例えば、前記のトレイ５や本体フレーム３が金属等の樹脂以外の材料で形成されている場合にも同様に適用することができ、また、本体フレーム３の天板がフレーム３に一体或いは別体の樹脂製等の天板であってもよい。
【００５１】
さらに、延出部５ｂと上縁枠体３ａの前記の２重構造が十分な強度を有する場合等には、特に前記の屈曲部４ａを設けなくてもよいのは勿論である。
【００５２】
また、ディスクユニット１は、トレイ５に設ける延出部５ｂや本体フレーム３に設ける上縁枠体３ａを除き、外観や内部の構造がどのようであってもよく、また、種々の機器の外装ケースに収容されて内蔵されるものであってよいのも勿論である。
【００５３】
さらに、電子機器１０は、その機器ケース１１やトレイ扉１３の形状・構造等がどのようであってもよい。
【図面の簡単な説明】
【００５４】
【図１】本発明の一実施形態におけるディスクユニットのトレイが搬出した状態を示しており、（ａ）はディスクユニットのトレイ搬出状態を示す斜視図であり、（ｂ）はディスクユニットのトレイ搬出状態を示す側面図である。
【図２】同上、ディスクユニットのトレイが搬入した状態を示しており、（ａ）はディスクユニットのトレイ搬入状態を示す斜視図であり、（ｂ）はディスクユニットのトレイ搬入状態を示す側面図である。
【図３】同上、ディスクユニットのトレイ収納状態における本体フレームの前面を拡大して示す側面断面図である。
【図４】本発明の一実施形態におけるディスクユニットを内蔵する電子機器を示しており、（ａ）はトレイの搬出状態を示す電子機器の斜視図であり、（ｂ）はトレイの搬入状態を示す電子機器の斜視図である。
【図５】従来例のトレイの搬出状態をしめすディスクユニットの側面図である。
【図６】同上、ディスクユニットのトレイ収納状態における本体フレームの前面を拡大して示す側面図である。
【符号の説明】
【００５５】
１    ディスクユニット
２    ユニットケース
３    本体フレーム
３ａ  上縁枠体
４    プレート
５    トレイ
５ａ  前端部
５ｂ  延出部
６    トレイ開口
１０  電子機器
１１  機器ケース
１３  トレイ扉
【図１】
2007066389.tif 000003
【図２】
2007066389.tif 000004
【図３】
2007066389.tif 000005
【図４】
2007066389.tif 000006
【図５】
2007066389.tif 000007
【図６】
2007066389.tif 000008